(57)【要約】【課題】軽量化を図りつつ、局所的な凹みや打痕傷の発生を抑制可能な発泡樹脂成形品を提供する。【解決手段】発泡樹脂成形品２０は、スキン層３０と、スキン層３０の内部に形成された発泡層４０と、を備えた発泡樹脂成形品２０であって、スキン層３０は、発泡層４０の一方の面４０Ａに形成された第１スキン層３１と、発泡層４０の他方の面４０Ｂに形成された第２スキン層３２と、を含み、第２スキン層３２が、その周囲に比して第１スキン層３１に近接するようにして形成された複数の凹部３３を有しており、発泡層４０は、第１スキン層３１と第２スキン層３２における凹部３３との間に、その周囲に位置する部分に比して密度が大きい高密度部４３を有する。【選択図】図３
2019209619.tif 000002
【特許請求の範囲】
【請求項１】
スキン層と、前記スキン層の内部に形成された発泡層と、を備えた発泡樹脂成形品であって、
前記スキン層は、
前記発泡層の一方の面に形成された第１スキン層と、
前記発泡層の他方の面に形成された第２スキン層と、を含み、
前記第２スキン層が、その周囲に比して前記第１スキン層に近接するようにして形成された複数の凹部を有しており、
前記発泡層は、前記第１スキン層と前記第２スキン層における前記凹部との間に、その周囲に位置する部分に比して密度が大きい高密度部を有する、発泡樹脂成形品。
【請求項２】
前記複数の凹部は、互いに隣接する前記凹部の間の寸法が４ｍｍ〜１２ｍｍの範囲に設定されている、請求項１に記載の発泡樹脂成形品。
【請求項３】
前記第２スキン層は、互いに隣接する前記凹部の間を凸部とする凹凸形状を有し、
前記第１スキン層は、外面に、前記凹凸形状より微細な凹凸形状からなるシボ模様を有する、請求項１又は請求項２に記載の発泡樹脂成形品。
【請求項４】
前記発泡樹脂成形品は、車両用ドアトリムのアッパー部を構成するものであり、
前記複数の凹部は、前記アッパー部の少なくとも一部に配され、車両上下方向に沿って延びる形の凹条をなす、請求項１から請求項３のいずれか１項に記載の発泡樹脂成形品。
【発明の詳細な説明】
【技術分野】
【０００１】
本明細書に開示の技術は、発泡樹脂成形品に関する。
【背景技術】
【０００２】
特許文献１には、溶融樹脂の発泡によって形成される多数の気泡セルを含む発泡層と、溶融樹脂の未発泡により発泡層の表裏面に形成される一対のスキン層と、を備えてなる発泡樹脂成形体の構造が開示されている。そして、発泡樹脂成形体はその板厚が厚い部分と薄い部分とが交互に連続した凹凸形状になっており、発泡樹脂成形体の板厚が厚い部分における発泡層が通常発泡層とされ、発泡樹脂成形体の板厚が薄い部分における発泡層が中空層とされることが記載されている。
【先行技術文献】
【特許文献】
【０００３】
【特許文献１】特開２０１３−９５０７７号公報
【発明の概要】
【発明が解決しようとする課題】
【０００４】
ところで、近年、軽量かつ樹脂材料の使用量を低減可能な高発泡倍率の発泡樹脂成形品が求められている。しかしながら、発泡樹脂成形品は、高発泡倍率になればなる程、発泡層が圧縮変形し易くなり、乗員が指で押圧した際に凹みを感じたり、また、ものがぶつかることにより打痕傷を生じたりすることが懸念される。
【０００５】
特許文献１に開示の構成では、発泡樹脂成形体はその板厚が厚い部分において、中空層より密度が高い通常発泡層を有するから、凹みや打痕傷の発生を抑制すべく通常発泡層を適宜設けた構成では、発泡樹脂成形体全体の重量が増大し易く、問題がある。
【０００６】
本明細書に開示の技術は、このような事情に基づいて完成されたものであり、軽量化を図りつつ、局所的な凹みや打痕傷の発生を抑制可能な発泡樹脂成形品を提供することを目的とする。
【課題を解決するための手段】
【０００７】
本明細書に開示の発泡樹脂成形品は、スキン層と、前記スキン層の内部に形成された発泡層と、を備えた発泡樹脂成形品であって、前記スキン層は、前記発泡層の一方の面に形成された第１スキン層と、前記発泡層の他方の面に形成された第２スキン層と、を含み、前記第２スキン層が、その周囲に比して前記第１スキン層に近接するようにして形成された複数の凹部を有しており、前記発泡層は、前記第１スキン層と前記第２スキン層における前記凹部との間に、その周囲に位置する部分に比して密度が大きい高密度部を有する。
【０００８】
このような発泡樹脂成形品によれば、発泡層が全域ではなく凹部の位置に対応して局所的に高密度部を有することにより、例えば、発泡層全域が高密度部と同等の密度を有する構成に比して、軽量で曲げ剛性に優れた発泡樹脂成形品を得ることができる。また、発泡層がその周囲に位置する部分（以下、低密度部と称する）に比して圧縮変形し難い高密度部を有することにより、例えば、発泡層全域が低密度部と同等の密度を有する構成に比して、第１スキン層又は第２スキン層が押圧された際に発泡層が圧縮変形して凹みを感じたり、打痕傷を生じたりする事態を抑制することができる。これらの結果、軽量化を図りつつ、局所的な凹みや打痕傷の発生を抑制可能な発泡樹脂成形品を提供することができる。
【０００９】
前記複数の凹部は、互いに隣接する前記凹部の間の寸法が４ｍｍ〜１２ｍｍの範囲に設定されていてもよい。このような構成によれば、使用者が第１スキン層又は第２スキン層に触れた場合に、一般的に幅８ｍｍ程度とされる人の指先が押圧する範囲内に、高密度部の少なくとも一部が位置する頻度を十分に高くすることができる。この結果、使用者が第１スキン層又は第２スキン層に触れた際に発泡樹脂成形品が凹む事態を抑制することができる。
【００１０】
前記第２スキン層は、互いに隣接する前記凹部の間を凸部とする凹凸形状を有し、前記第１スキン層は、外面に、前記凹凸形状より微細な凹凸形状からなるシボ模様を有していてもよい。このような構成によれば、仮に第１スキン層の外面に低密度部と高密度部との樹脂収縮率の差に起因してヒケ等が生じる場合であっても、シボ模様によりヒケを目立たなくすることができる。
【００１１】
前記発泡樹脂成形品は、車両用ドアトリムのアッパー部を構成するものであり、前記凹部は、前記アッパー部の少なくとも一部に配され、車両上下方向に沿って延びる形の凹条をなしていてもよい。車両用ドアトリムのアッパー部は、乗員が腕を載置したり、ドア開閉時に手をかけたりすることにより、車両上下方向に沿って荷重が掛かりやすい部位と言える。また、車両用ドアトリムのアッパー部には、シートベルトがリトラクターに巻き上げられる際にベルトタングが意図せず接触して、局所的に強い押圧力が掛かることも想定される。上記構成によれば、凹部が車両上下方向に沿って延びる形で形成されることにより、アッパー部の車両上下方向における曲げ剛性を十分に確保することができる。また、ベルトタングの接触位置に高密度部が配されることにより、車両用ドアトリムにベルトタングの打痕傷ができる事態を抑制することができる。
【発明の効果】
【００１２】
本明細書に開示の技術によれば、軽量化を図りつつ、局所的な凹みや打痕傷の発生を抑制可能な発泡樹脂成形品を提供することができる。
【図面の簡単な説明】
【００１３】
【図１】実施形態１に係る車両用ドアを室内側から視た図
【図２】ドアトリムの正面図（裏面の凹部を網掛けで示す）
【図３】アッパーボードの断面図（図２のＩＩＩ−ＩＩＩ線で切断した図に対応）
【図４】凹部と凸部の配置パターンを模式的に表す図
【図５】他の実施形態に係る凹部と凸部の配置パターンを模式的に表す図
【図６】別の他の実施形態に係る凹部と凸部の配置パターンを模式的に表す図
【図７】他の実施形態に係るドアトリムの正面図
【発明を実施するための形態】
【００１４】
＜実施形態１＞
実施形態１について図１から図４を参照しつつ説明する。本実施形態では、板状の発泡樹脂成形品として、乗物用内装材であるドアトリム（車両用ドアトリム）１１に用いられるアッパーボード２０について例示する。
【００１５】
ドアトリム１１は、図１に示されるように、車両用ドア１０の室内側に配されるものであり、意匠面が室内側面を構成する。ドアトリム１１の後方に位置するピラー１５には、ドアトリム１１の室内側に着座する乗員を拘束するためのシートベルト１４の引き出し口が設けられている。シートベルト１４には、乗員に対して室内側に位置するバックル１４Ｂに係止されるベルトタング１４Ａが設けられている。シートベルト１４は、バックル１４Ｂとベルトタング１４Ａの係止状態が解除されると、図示しないリトラクターにより巻き上げられる構成となっている。図１においては、巻き上げられる過程におけるシートベルト１４及びベルトタング１４Ａの位置を２点鎖線で示し、ベルトタング１４Ａの移動方向を白抜き矢印で示している。また、ドアトリム１１には、アームレスト１７、インサイドハンドル１８、スピーカグリル１９等の機能部品が設けられている。
【００１６】
ドアトリム１１は、図２に示されるように、複数のボード部材が互いに締結されたトリムボード１２を主体として構成されている。本実施形態では、トリムボード１２は、アッパー部１１Ａを構成するアッパーボード２０と、ロア部１１Ｂを構成するロアボード１３とが、互いに締結された構成とされる。アッパーボード２０は、発泡性樹脂からなり、本実施形態では、発泡ポリプロピレンからなるものを例示する。アッパーボード２０は、従来の車両用内装材に比して目付が小さいものとされ、例えば、目付１．５ｋｇ／ｍ２以下の軽量なものとされる。
【００１７】
アッパーボード２０は、図３に示されるように、スキン層３０と、スキン層３０の内部に形成された発泡層４０と、を備えている。スキン層３０は、発泡層４０の表面に形成された微発泡ないし未発泡の樹脂層からなる。発泡層４０は、多数の独立した気泡４１を含む樹脂層からなる。なお、発泡層４０は、気泡４１が一部繋がって連続気泡となっている部分を含んでいてもよい。
【００１８】
このようなアッパーボード２０は、種々の成形法により成形することができる。例えば、成形型のキャビティに発泡可能な状態とされた樹脂（例えば、発泡剤を含むポリプロピレン樹脂）を射出した後、成形型のキャビティ壁面を後退させてキャビティ容積を拡大させ、成形型内の樹脂を発泡させる方法（コアバック法）により成形することができる。コアバック法では、コアバック量と気泡４１のサイズとに正の相関関係があり、コアバック量を適宜設定することにより、各部の気泡４１のサイズを適宜設計することが可能となる。
【００１９】
スキン層３０は、図３に示されるように、発泡層４０の室内側の面（一方の面）４０Ａに形成された第１スキン層３１と、発泡層４０の室外側の面（他方の面）４０Ｂに形成された第２スキン層３２と、を含んでいる。本実施形態では、第１スキン層３１がドアトリム１１の意匠面を構成し、第２スキン層３２がドアトリム１１の裏面を構成している。
【００２０】
第１スキン層３１は、図３に示されるように、外面３１Ａに、後述する第２スキン層３２の凹凸形状より微細な凹凸形状からなるシボ模様３６を有する。シボ模様３６は、例えば、断面視台形状の山部３６Ａと、隣接する山部３６Ａの間に皺状に延設された谷部３６Ｂと、が所定範囲内おいてランダムに配された構成とされている。シボ模様３６は、例えば、山部３６Ａの最大幅寸法が４ｍｍ以下であり、その谷部３６Ｂの深さ寸法が、概ね第１スキン層３１の厚さ寸法の１／２以下とされる。第１スキン層３１は、外面３１Ａが微細な凹凸形状を有する粗面とされる一方、層全体としては略平坦状をなしている。
【００２１】
第２スキン層３２は、図３に示されるように、周囲に比して第１スキン層３１に近接するようにして形成された複数の凹部３３を有している。第２スキン層３２は、互いに隣接する凹部３３，３３の間を凸部３４とする凹凸形状を有している。本実施形態では、第２スキン層３２は、第１スキン層３１との離間距離が連続的に変化するものとされ、所定の厚さを有する第２スキン層３２が断面視波形に蛇行する形状をなしている。以下の説明では、蛇行して延びる第２スキン層３２の中央を通る線を基準線として、基準線に対して第１スキン層３１側の部分を凹部３３と呼び、基準線に対して第１スキン層３１とは反対側の部分を凸部３４と呼ぶ。図２及び図４においては、凹部３３の配設範囲に模式的に網掛けを付して描いている。
【００２２】
複数の凹部３３は、図２に示されるように、アッパー部１１Ａの略全域に亘って配され、車両上下方向に沿って延びる形の凹条をなしている。複数の凹部３３は、所定幅の凹部３３が所定のピッチで配置されるストライプ状をなしている。複数の凹部３３は、互いに隣接する凹部３３，３３の間の寸法（本実施形態では、凸部３４の幅寸法Ｌ１）が４．０ｍｍ〜１２ｍｍの範囲に設定されている（図４参照）。凹部３３の幅寸法Ｌ２は、凸部３４の幅寸法Ｌ１より小さく、例えば、２．０ｍｍ〜８．０ｍｍの範囲に設定されている。なお、図２においては、説明の便宜のため、凹部３３及び凸部３４のサイズを変更して模式的に描いている。
【００２３】
発泡層４０は、図３に示されるように、第１スキン層３１と第２スキン層３２における凹部３３との間に、その周囲に位置する部分に比して密度が大きい高密度部４３を有する。本実施形態では、「周囲に位置する部分」は、第１スキン層３１と第２スキン層３２における凸部３４との間に位置する部分であり、以下の説明では当該部分を低密度部４４と称する。
【００２４】
発泡層４０は、図３に示されるように、高密度部４３が相対的に小さい板厚の部分とされ、低密度部４４が相対的に大きい板厚の部分とされる。言い換えれば、発泡層４０は、室内側の面４０Ａが略平坦状をなす一方、室外側の面４０Ｂが第２スキン層３２の形状に倣う凹凸形状を有している。低密度部４４の板厚としては、例えば、従来の車両用内装材に用いられる発泡樹脂成形品（板厚２．５ｍｍ）より大きいものとすることができる。そして、高密度部４３が相対的に小さいサイズの気泡４１の頻度が高い部分とされ、低密度部４４が相対的に大きいサイズの気泡４１の頻度が高い部分とされている。本実施形態では、凹部３３の底部に向かうにつれて第２スキン層３２が第１スキン層３１に漸次近接する構成とされ、低密度部４４から高密度部４３に向かうにつれて密度が漸次大きくなる構成とされている。
【００２５】
高密度部４３は、図３に示されるように、車両上下方向に沿って延びる形で凹部３３に沿って形成されている。高密度部４３は、低密度部４４より狭い範囲に形成され、低密度部４４に内在する形で局所的に設けられた圧縮強度が大きい部分とされる。言い換えれば、高密度部４３は、第１スキン層３１の内面に沿って延設された補強リブのような構造となっている。そして、高密度部４３は、第１スキン層３１と第２スキン層３２との間に介在して、これらの層を内側から支持するものとされる。
【００２６】
続いて、本実施形態の作用について実施例を用いて具体的に説明する。なお、本発明はこの実施例になんら限定されるものではない。
実施例と比較するために、比較例１として、本実施例より低発泡倍率の発泡樹脂成形品（目付１．５ｋｇ／ｍ２、板厚２．５ｍｍ）の試験片を用意した。この比較例１は、概ね従来の車両用ドアトリムに用いられている程度の発泡倍率とされるものである。また、比較例２として、比較例１より低目付で発泡倍率が高く、全域に亘って本実施例の低密度部に相当する密度を有する発泡樹脂成形品の試験片を用意した。なお、各試験片を成形するにあたり、第１スキン層を形成するキャビティ壁面がシボ模様を形成するための凹凸形状を有せず略平滑な面とされる成形型を用いた。
【００２７】
まず、各試験片の第１スキン層の外面を観察した。比較例１及び比較例２と同様に、実施例においても、第１スキン層の外面にヒケ等の変形が確認されなかった。
【００２８】
次に、各試験片の第１スキン層の外面を指先で押圧し、凹み具合を評価する官能評価を行った。この結果、実施例及び比較例１では、第１スキン層の凹みを感じなかったものの、比較例２では第１スキン層の凹みを感じるという評価結果が得られた。
【００２９】
さらに、各試験片の第１スキン層の外面を所定量（１．５ｍｍ）押し込んだ際の荷重を測定する押し込み試験を行った。なお、実施例については、第１スキン層のうち、高密度部と重なる位置の外面を押圧するものとした。荷重の測定値は、実施例が２３．４Ｎであり、比較例１が３０．２Ｎであり、比較例２が１９．１Ｎであった。この結果から、実施例では、比較例１より小さい荷重で局所的な凹みを生じ得るものの、比較例２よりは凹みを生じ難いことが確認できた。
【００３０】
上述の官能評価の結果と押し込み試験の結果を総合的に考察すると、従来に比して高発泡倍率の発泡樹脂成形品において、高密度部を有することにより、局所的な凹みの発生が抑制され得ることが分かった。また、第１スキン層の外面の観察から、第２スキン層の凹部や発泡層の高密度部を有する構成であっても、第１スキン層の外面にヒケ等の外観不良が確認されず、例えば、本願技術の構成は、例えば第２スキン層側にリブ等の構造物を形成する構成に比して、第１スキン層の外面にヒケ等の外観不良が生じ難いものと推察し得る。このため、第１スキン層の外面を内装材の意匠面として好適に用いることができることが分かった。
【００３１】
続いて、本実施形態の効果について説明する。本実施形態によれば、発泡層４０が全域ではなく凹部３３の位置に対応して局所的に高密度部４３を有することにより、例えば、発泡層４０全域が高密度部４３と同等の密度を有する構成に比して、軽量で曲げ剛性に優れたアッパーボード２０を得ることができる。また、発泡層４０が低密度部４４に比して圧縮変形し難い高密度部４３を有することにより、例えば、発泡層４０全域が低密度部４４と同等の密度を有する構成に比して、第１スキン層３１又は第２スキン層３２が押圧された際に発泡層４０が圧縮変形して凹みを感じたり、打痕傷を生じたりする事態を抑制することができる。これらの結果、軽量化を図りつつ、局所的な凹みや打痕傷の発生を抑制可能なアッパーボード２０を提供することができる。
【００３２】
さらに、本実施形態によれば、スキン層３０内部の発泡層４０に高密度部４３を設ける補強構造とすることにより、例えば、アッパーボード２０の裏面にリブ等の構造物を別途設ける構成に比して、意匠面にヒケ等の外観不良を生じ難いものとすることができる。このため、第１スキン層３１が意匠面とされる内装材において、本願技術を好適に用いることができる。また、本実施形態によれば、別途補強のための補強リブ等の構造物を設ける構成に比して、構造物に係る重さが追加されることがなく、アッパーボード２０の軽量化に寄与することができる。
【００３３】
また、本実施形態では、複数の凹部３３は、互いに隣接する凹部３３の間の寸法Ｌ１が４ｍｍ〜１２ｍｍの範囲に設定されている。このため、乗員が第１スキン層３１又は第２スキン層３２に触れた場合に、一般的に幅８ｍｍ程度とされる人の指先が押圧する範囲内に、高密度部４３の少なくとも一部が重なる又は近接する頻度を十分に高くすることができる。この結果、乗員が第１スキン層３１又は第２スキン層３２に触れた際にアッパーボード２０が凹む事態を抑制することができる。
【００３４】
また、本実施形態では、第２スキン層３２は、互いに隣接する凹部３３，３３の間を凸部３４とする凹凸形状を有し、第１スキン層３１は、外面３１Ａに、第２スキン層３２の凹凸形状より微細な凹凸形状からなるシボ模様３６を有していてもよい。このような構成によれば、仮に第１スキン層３１の外面３１Ａに低密度部４４と高密度部４３との樹脂収縮率の差に起因してわずかな変形等を生じる場合であっても、シボ模様３６により変形を目立たなくすることができる。
【００３５】
また、本実施形態では、アッパーボード２０は、ドアトリム１１のアッパー部１１Ａを構成するものであり、凹部３３は、アッパー部１１Ａの少なくとも一部に配され、車両上下方向に沿って延びる形の凹条をなしている。ドアトリム１１のアッパー部１１Ａは、乗員が腕を載置したり、車両用ドア１０開閉時に手をかけたりすることにより、車両上下方向に沿って荷重が掛かりやすい部位と言える。また、ドアトリム１１のアッパー部１１Ａには、シートベルト１４がリトラクター（不図示）に巻き上げられる際にベルトタング１４Ａが意図せず接触して、局所的に強い押圧力が掛かることも想定される。本実施形態によれば、凹部３３が車両上下方向に沿って延びる形で形成されることにより、アッパー部１１Ａの車両上下方向における曲げ剛性を十分に確保することができる。また、ベルトタング１４Ａの接触位置に高密度部４３が配されることにより、ドアトリム１１にベルトタング１４Ａの打痕傷ができる事態を抑制することができる。
【００３６】
＜他の実施形態＞
本発明は、上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、所定幅の凹部が所定のピッチで配置されるストライプ状をなす構成を例示したが、これに限られない。例えば、図５に示されるように、複数の凹部１３３が、島状に点在する構成であってもよい。また、図６に示されるように、複数の凹部２３３が、互いに交差するように配置され、格子状をなす構成であってもよい。
（２）上記実施形態外にも、凹部の形状、複数の凹部における互いに隣接する凹部の間の寸法等は適宜変更可能である。例えば、凹部は、断面視角波状をなしていてもよい。
（３）上記実施形態では、第１スキン層が発泡層の室内側の面に形成され、ドアトリムの意匠面を構成するものを例示したが、これに限られない。例えば、第２スキン層が発泡層の室内側の面に形成され、ドアトリムの意匠面を構成してもよい。この場合には、例えば、凹部をドアトリムの模様として視せる構成としてもよい。
（４）上記実施形態では、アッパーボードが発泡ポリプロプレンからなるものを例示したが、アッパーボードを構成する発泡性樹脂は、これに限られない。例えば、アッパーボードは、ウレタンフォーム等によって構成されていてもよい。また、発泡層における高密度部及び低密度部の形成方法も適宜変更可能である。
（５）上記実施形態では、第１スキン層がシボ模様を有する構成を例示したが、これに限られない。例えば、第１スキン層の外面には、表皮材等の別の層が積層されていてもよい。
（６）上記実施形態では、複数の凹部がアッパー部の全域に亘って配されるものを例示したが、図７に示す複数の凹部３３３のように、アッパー部の一部に配されるものであってもよい。なお、この場合には、シートベルトの巻き上げ時におけるベルトタングの移動方向の延長線上に位置する部位等、局所的な凹みを生じることが想定される部位に、複数の凹部３３３を配することが好ましい。
（７）上記実施形態では、発泡樹脂成形品がドアトリムのアッパー部を構成するものを例示したが、発泡樹脂成形品はドアトリム以外の車両用内装材を構成するものであってもよく、また、車両以外の船舶、航空機等の乗物の内装材を構成するものであってもよい。さらに、発泡樹脂成形品は、建築関連分野などにおいても広く利用することができ、例えば、建築物及び家具等の内装材、外装材及び構造材にも好適である。その他、包装体、収容体（トレイ等）、保護用部材及びパーティション部材等としても好適である。
【符号の説明】
【００３７】
１１…ドアトリム（車両用ドアトリム）、１１Ａ…アッパー部、２０…アッパーボード（発泡樹脂成形品）、３０…スキン層、３１…第１スキン層、３１Ａ…外面、３２…第２スキン層、３３，１３３，２３３，３３３…凹部、３４…凸部、３６…シボ模様、４０…発泡層、４０Ａ…室内側の面（一方の面）、４０Ｂ…室外側の面（他方の面）、４１…気泡、４３…高密度部、４４…低密度部、Ｌ…互いに隣接する凹部の間の寸法
【図１】
2019209619.tif 000003
【図２】
2019209619.tif 000004
【図３】
2019209619.tif 000005
【図４】
2019209619.tif 000006
【図５】
2019209619.tif 000007
【図６】
2019209619.tif 000008
【図７】
2019209619.tif 000009